(57)【要約】      （修正有）【課題】光学素子の外周部に欠け、バリ、カエリ等が生じることがあっても、収納性や取付性を損なうことがない光学素子の製造方法及び光学素子を提供する。【解決手段】型開き状態で成形品が残る金型１１と型開き状態で成形品が離型する金型１２とで形成される型内に樹脂を射出し、光学素子の成形品の少なくともゲート部１１ｂ１が形成される部分の外周のコーナ部に、角落とし１ｃ，１ｄを形成し、金型から光学素子の成形品を離型させ、光学素子の成形品のゲート部１１ｂ１を切断して光学素子を製造する。また、光学素子は、この光学素子の製造方法により形成される。【選択図】図１
2010208334.tif 000002
【特許請求の範囲】
【請求項１】
型開き状態で成形品が残る金型と型開き状態で成形品が離型する金型とで形成される型内に樹脂を射出し、光学素子の成形品の少なくともゲート部が形成される部分の外周のコーナ部に、角落としを形成し、前記金型から光学素子の成形品を離型させ、前記光学素子の成形品のゲート部を切断して光学素子を製造することを特徴とする光学素子の製造方法。
【請求項２】
前記角落としは、前記光学素子の外周の光ディスク側のコーナ部に形成されることを特徴とする請求項１に記載の光学素子の製造方法。
【請求項３】
前記角落としは、前記光学素子の外周の取付基準面側のコーナ部に形成されることを特徴とする請求項１に記載の光学素子の製造方法。
【請求項４】
前記角落としは、面とり形状、または曲面形状であることを特徴とする請求項１乃至請求項３のいずれか１項に記載の光学素子の製造方法。
【請求項５】
前記請求項１乃至請求項４のいずれか１項に記載の光学素子の製造方法により形成したことを特徴とする光学素子。
【発明の詳細な説明】
【技術分野】
【０００１】
この発明は、射出成形によって形成する光学素子の製造方法及び光学素子に関するものである。
【背景技術】
【０００２】
光学素子として、例えばプラスチックレンズがあり、光ピックアップ装置、カメラ等の光学機器等の光学系に用いられる（特許文献１）。このようなプラスチックレンズの製造は、図９に示すように、成形品を離型させる突き出し機構１０１を備える金型１０２と、突き出し機構を備えない金型１０３とで形成される型内に、金型１０２の樹脂注入流路であるランナー１０２ａから樹脂を射出し、この後に、突き出し機構１０１を備える金型１０２を移動して型開きを行ない、突き出し機構１０１を作動させて光学機能部１００ａの外周にフランジ部１００ｂを有するプラスチックレンズ１００の成形品を突き出し離型させるものがある。
【０００３】
このようなプラスチックレンズの製造では、図１０に示すように、ランナー１０２ａのゲート部１０２ａ１がフランジ部１００ｂに一体的に形成されるから、後のゲートカット工程でゲート部１０２ａ１が切断される。
【先行技術文献】
【特許文献】
【０００４】
【特許文献１】特開平９−２３０１１３号公報
【発明の概要】
【発明が解決しようとする課題】
【０００５】
このように、ゲートカット工程でゲート部１０２ａ１が切断され、この切断にはニッパー、メタルソー、レーザー、フライス等で行なわれ、あるいはこれらを方法を組み合わせて行なう場合があるが、このゲート部１０２ａ１を切断したことによりフランジ部１００ｂの外周部に欠け、バリ、カエリ等が生じることがある。
【０００６】
このプラスチックレンズ１００を棒状のカートリッジやトレイに収納して次工程に送るときに、外周部の欠け、バリ、カエリ等が邪魔になり収納の安定性がなく、あるいは他のプラスチックレンズ１００と干渉して傷付けるおそれがある。
【０００７】
また、プラスチックレンズ１００を光ピックアップ装置、カメラ等の光学機器等へ取り付けるときに、外周部に生じる欠け、バリ、カエリ等が邪魔になり、取付基準面等に悪影響を与え、光ピックアップ装置、カメラ等の光学機器等への取付が不安定となることがある。
【０００８】
この発明は、かかる点に鑑みてなされたもので、光学素子の外周部に欠け、バリ、カエリ等が生じることがあっても、収納性や取付性を損なうことがない光学素子の製造方法及び光学素子を提供することを目的としている。
【課題を解決するための手段】
【０００９】
前記課題を解決し、その目的を達成するために、この発明は、以下のように構成した。
【００１０】
請求項１に記載の発明は、『型開き状態で成形品が残る金型と型開き状態で成形品が離型する金型とで形成される型内に樹脂を射出し、光学素子の成形品の少なくともゲート部が形成される部分の外周のコーナ部に、角落としを形成し、前記金型から光学素子の成形品を離型させ、前記光学素子の成形品のゲート部を切断して光学素子を製造することを特徴とする光学素子の製造方法。』である。
【００１１】
請求項２に記載の発明は、『前記角落としは、前記光学素子の外周の光ディスク側のコーナ部に形成されることを特徴とする請求項１に記載の光学素子の製造方法。』である。
【００１２】
請求項３に記載の発明は、『前記角落としは、前記光学素子の外周の取付基準面側のコーナ部に形成されることを特徴とする請求項１に記載の光学素子の製造方法。』である。
【００１３】
請求項４に記載の発明は、『前記角落としは、面とり形状、または曲面形状であることを特徴とする請求項１乃至請求項３のいずれか１項に記載の光学素子の製造方法。』である。
【００１４】
請求項５に記載の発明は、『前記請求項１乃至請求項４のいずれか１項に記載の光学素子の製造方法により形成したことを特徴とする光学素子。』である。
【発明の効果】
【００１５】
前記構成により、この発明は、以下のような効果を有する。
【００１６】
この請求項１に記載の発明によれば、光学素子の成形品の少なくともゲート部が形成される部分の外周のコーナ部に、角落としを形成したから、金型から光学素子の成形品を離型させ、光学素子の成形品のゲート部を切断する際に、光学素子の外周部に欠け、バリ、カエリ等が生じることがあっても、角落としによって欠け、バリ、カエリ等が外部に突出することがなくなり、棒状のカートリッジやトレイに収納して次工程に送るときに、外周部の欠け、バリ、カエリ等が邪魔になることがなく、収納の安定性があり、あるいは他の光学素子と干渉して傷付けることがない。
【００１７】
また、光学素子を光ピックアップ装置、カメラ等の光学機器等へ取り付けるときに、欠け、バリ、カエリ等が取付基準面等に悪影響を与えることがなく、光ピックアップ装置、カメラ等の光学機器等への取付が安定する。
【００１８】
この請求項２に記載の発明によれば、光学素子の外周の光ディスク側のコーナ部に、角落としが形成され、外周部の欠け、バリ、カエリ等が邪魔になることがなく、光学素子の収納が安定し、あるいは他の光学素子と干渉して傷付けることがない。
【００１９】
この請求項３に記載の発明によれば、光学素子の外周の取付基準面側のコーナ部に、角落としが形成され、欠け、バリ、カエリ等が取付基準面等に悪影響を与えることがなく、光ピックアップ装置、カメラ等の光学機器等への取付がより安定する。
【００２０】
この請求項４に記載の発明によれば、角落としが、面とり形状、または曲面形状で、簡単な金型で形成することができる。また、光ディスク側のコーナ部は、角落としを面とり形状とすることが、より光学素子の収納が安定し、あるいは他の光学素子と干渉して傷付けることがなく好ましい。また、光学素子の外周の取付基準面側のコーナ部は、角落としを曲面形状とすることが、光ピックアップ装置、カメラ等の光学機器等への取付がより安定し好ましい。
【００２１】
この請求項５に記載の発明によれば、光学素子の外周部に欠け、バリ、カエリ等が生じることがあっても、角落としによって欠け、バリ、カエリ等が外部に突出することがなくなり、収納の安定性があり、あるいは他の光学素子と干渉して傷付けることがない。また、光学素子は、角落としによって欠け、バリ、カエリ等が取付基準面等に悪影響を与えることがなく、光ピックアップ装置、カメラ等の光学機器等への取付が安定する。
【図面の簡単な説明】
【００２２】
【図１】金型の構成を示す図である。
【図２】成形品を離型させる突き出し機構を備える金型の型面側から見た平面図である。
【図３】成形品を離型させる突き出し機構を備えない金型の型面側から見た平面図である。
【図４】金型に樹脂を射出した状態を示す図である。
【図５】金型の型開きを示す図である。
【図６】突き出し機構の作動状態を示す図である。
【図７】ゲート部の切断を示す図である。
【図８】プラスチックレンズの側面図である。
【図９】従来のプラスチックレンズと金型の構成を示す図である。
【図１０】従来のゲート部の切断を示す図である。
【発明を実施するための形態】
【００２３】
以下、この発明の光学素子の製造方法及び光学素子の実施の形態を図面に基づいて説明するが、この発明は、この実施の形態に限定されるものではない。
【００２４】
図１は金型の構成を示す図、図２は成形品を離型させる突き出し機構を備える金型の型面側から見た平面図、図３は成形品を離型させる突き出し機構を備えない金型の型面側から見た平面図、図４は金型に樹脂を射出した状態を示す図、図５は金型の型開きを示す図、図６は突き出し機構の作動状態を示す図、図７はゲート部の切断を示す図、図８はプラスチックレンズの側面図である。
【００２５】
この実施の形態の製造装置は、光学素子としてプラスチックレンズを製造するものであり、成形品を離型させる突き出し機構１０を備える金型１１と、突き出し機構を備えない金型１２とを有し、金型１１が型開き状態で成形品が残る金型を構成し、金型１２が型開き状態で成形品が離型する金型を構成する。金型１２は固定され、金型１１が移動する構造であり、光学素子としてのプラスチックレンズ１を射出成形する。
【００２６】
この実施の形態の光学素子としてのプラスチックレンズ１は、図８に示すように、光学機能部１ａと、この光学機能部１ａの外周にフランジ部１ｂを有する。フランジ部１ｂの外周のコーナ部には、角落とし１ｃ，１ｄが形成されている。角落とし１ｃは、曲面形状に形成され、角落とし１ｄは面とり形状に形成されている。
【００２７】
なお、この実施の形態では、プラスチックレンズ１が光学機能部１ａの外周にフランジ部１ｂを有するが、フランジ部を有しないものでもよく、また円形のレンズに限定されず、板状のレンズでもよい。また、光学素子はプラスチックレンズに限定されず、導光体等でもよい。
【００２８】
金型１１は、プラスチックレンズ１のフランジ部１ｂを形成する型面１１ａを有し、この型面１１ａにはフランジ部１ｂの角落とし１ｃを形成する曲面形状型面１１ａ１が形成されている。突き出し機構１０は、プラスチックレンズ１の光学機能部１ａを形成する型面１０ａを有する。なお、突き出し機構１０には、光学機能部１ａだけでなく、フランジ部１ｂの内周側の一部を形成する型面としてもよい。
【００２９】
金型１２は、プラスチックレンズ１の光学機能部１ａを形成する型面１２ａとフランジ部１ｂを形成する型面１２ｂを有し、金型１２の少なくとも光学素子としてのプラスチックレンズ１の成形品を形成する型面１２ａ，１２ｂを有する部分を一体形成している。金型１２のプラスチックレンズ１のフランジ部１ｂを形成する型面１２ｂには、フランジ部１ｂの角落とし１ｄを形成する面とり形状型面１２ｂ１が形成されている。
【００３０】
この突き出し機構１０を備える金型１１と突き出し機構を備えない金型１２とで形成される図１に示す型内に樹脂を射出し、冷却する。
【００３１】
この樹脂の射出は、金型１１の樹脂注入流路であるランナー１１ｂから行ない、ランナー１１ｂのゲート部１１ｂ１がフランジ部１ｂに一体的に形成される。
【００３２】
この冷却の後に、図５に示すように、突き出し機構１０を備える金型１１を移動して型開きを行ない、図６に示すように、突き出し機構１０を作動させてプラスチックレンズ１の成形品を突き出し離型させる。
【００３３】
このように、成形品を離型させる突き出し機構１０を備える金型１１と突き出し機構を備えない金型１２とで形成される型内に樹脂を射出し、図６及び図７に示すように、光学素子としてのプラスチックレンズ１の成形品の外周のコーナ部に、角落とし１ｃ，１ｄを形成する。
【００３４】
角落とし１ｃは、曲面形状であり、プラスチックレンズ１の外周の取付基準面側のコーナ部に形成される。また、角落とし１ｄは、面とり形状であり、プラスチックレンズ１の外周の光ディスク側のコーナ部に形成される。
【００３５】
ゲートカット工程でゲート部１１ｂ１が切断手段２０により切断される。この切断手段２０にはニッパー、メタルソー、レーザー、フライス等を用いて行なわれ、あるいはこれらを組み合わせて行なう場合がある。切断手段２０による切断は、例えばまずゲート部１１ｂ１を切断し、次にこの切断部分の残り１ｃ１をフランジ部１ｂと共に切断する。この切断は、直線状に切断するＤカット、あるいはＵ字状に切断するＵカット、あるいは外周に沿って切断する円弧状カット等、種々の方法がある。
【００３６】
このゲート部１１ｂ１を切断したことによりフランジ部１ｂの外周部に欠け、バリ、カエリ等１１ｂ２が生じることがあっても、角落とし１ｃ，１ｄによって欠け、バリ、カエリ等が外部に突出することがなくなる。
【００３７】
この実施の形態では、プラスチックレンズ１の外周の取付基準面側のコーナ部に、角落とし１ｃが曲面形状に形成され、棒状のカートリッジやトレイに挿入するときに曲面形状の角落とし１ｃによって案内されてより円滑に収納でき、また光ピックアップ装置、カメラ等の光学機器等への取付がより円滑にできる。さらに、棒状のカートリッジやトレイに収納して次工程に送るときに、外周部の欠け、バリ、カエリ等が邪魔になることがなく、収納の安定性があり、あるいは他の光学素子と干渉して傷付けることがない。
【００３８】
また、プラスチックレンズ１の外周の光ディスク側のコーナ部に、角落とし１ｄが面とり形状に形成され、より簡単な金型で形成することができ、しかも欠け、バリ、カエリ等が光ディスク側に悪影響を与えることがなく、光ピックアップ装置、カメラ等の光学機器等への取付がより安定する。
【００３９】
なお、この実施の形態では、プラスチックレンズ１の成形品の全外周のコーナ部に、角落とし１ｃ，１ｄを形成しているが、少なくともゲート部１１ｂ１が形成される部分の外周のコーナ部に、角落とし１ｃまたは角落とし１ｄを形成すればよいし、角落とし１ｃまたは角落とし１ｄは、曲面形状や面とり形状に限定されず、外周部に生じる欠け、バリ、カエリ等が外部に突出することがないようにする形状であればよい。
【産業上の利用可能性】
【００４０】
この発明は、射出成形によって形成する光学素子の製造方法及び光学素子に適用可能であり、光学素子の外周部に欠け、バリ、カエリ等が生じることがあっても、収納性や取付性を損なうことがない。
【符号の説明】
【００４１】
１  プラスチックレンズ
１ａ  光学機能部
１ｂ  フランジ部
１ｃ，１ｄ  角落とし
１０  突き出し機構
１１，１２  金型
１１ｂ１  ゲート部
【図１】
2010208334.tif 000003
【図２】
2010208334.tif 000004
【図３】
2010208334.tif 000005
【図４】
2010208334.tif 000006
【図５】
2010208334.tif 000007
【図６】
2010208334.tif 000008
【図７】
2010208334.tif 000009
【図８】
2010208334.tif 000010
【図９】
2010208334.tif 000011
【図１０】
2010208334.tif 000012
【手続補正書】
【提出日】平成22年6月3日(2010.6.3)
【手続補正２】
【補正対象書類名】特許請求の範囲
【補正対象項目名】全文
【補正方法】変更
【補正の内容】
【特許請求の範囲】
【請求項１】
対向するように配置される二つの光学機能部と、前記光学機能部の外周に配置されるフランジ部を有した光ピックアップ装置用のプラスチック光学素子において、
前記フランジ部の外周のコーナ部に角落とし部と、
光軸方向から見た前記角落としの外周の少なくとも一部に切断された跡を有することを特徴とする光ピックアップ装置用のプラスチック光学素子。
【請求項２】
光軸方向から見て前記切断された跡は直線状であることを特徴とする請求項１に記載の光ピックアップ装置用のプラスチック光学素子。
【請求項３】
光軸方向から見て前記切断された跡はＵ字状であることを特徴とする請求項１又は請求項１に記載の光ピックアップ装置用のプラスチック光学素子。
【請求項４】
光軸方向から見て前記切断された跡は外周に沿って切断された跡であることを特徴とする請求項１に記載の光ピックアップ装置用のプラスチック光学素子。
【請求項５】
光軸方向から見て前記切断された跡は円弧状であることを特徴とする請求項１に記載の光ピックアップ装置用のプラスチック光学素子。
【請求項６】
光軸方向から見て前記切断された跡はゲート部に対応する位置にあることを特徴とする請求項１に記載の光ピックアップ装置用のプラスチック光学素子。
【請求項７】
対向するように配置される二つの光学機能部と、前記光学機能部の外周に配置されるフランジ部を有した光ピックアップ装置用のプラスチック光学素子において、
前記フランジ部の外周のコーナ部に角落とし部と、
光軸方向から見た前記角落としの外周の少なくとも一部に、欠け、バリ、カエリ等のいずれかを有することを特徴とする光ピックアップ装置用のプラスチック光学素子。
【請求項８】
前記欠け、バリ、カエリ等のいずれかはゲート部に対応する位置にあることを特徴とする請求項７に記載の光ピックアップ装置用のプラスチック光学素子。
【請求項９】
前記角落としは、前記光学素子の外周の光ディスク側のコーナ部を有することを特徴とする請求項７または請求項８に記載の光ピックアップ装置用のプラスチック光学素子。
【請求項１０】
前記角落としは、前記光学素子の外周の取付基準面側のコーナ部に有することを特徴とする請求項７乃至請求項９のいずれか１項に記載の光ピックアップ装置用のプラスチック光学素子。
【請求項１１】
前記角落としは、面とり形状、または曲面形状であることを特徴とする請求項７乃至請求項１０のいずれか１項に記載の光ピックアップ装置用のプラスチック光学素子。
【請求項１２】
請求項１乃至請求項１１のいずれか１項に記載の光ピックアップ装置用のプラスチック光学素子用いたことを特徴とする光ピックアップ装置。
【手続補正３】
【補正対象書類名】明細書
【補正対象項目名】０００１
【補正方法】変更
【補正の内容】
【０００１】
この発明は、射出成形によって形成する光ピックアップ装置用のプラスチック光学素子及び光ピックアップ装置に関するものである。
【手続補正４】
【補正対象書類名】明細書
【補正対象項目名】０００８
【補正方法】変更
【補正の内容】
【０００８】
この発明は、かかる点に鑑みてなされたもので、光学素子の外周部に欠け、バリ、カエリ等が生じることがあっても、収納性や取付性を損なうことがない光ピックアップ装置用のプラスチック光学素子及び光ピックアップ装置を提供することを目的としている。
【手続補正５】
【補正対象書類名】明細書
【補正対象項目名】００１０
【補正方法】変更
【補正の内容】
【００１０】
請求項１に記載の発明は、対向するように配置される二つの光学機能部と、前記光学機能部の外周に配置されるフランジ部を有した光ピックアップ装置用のプラスチック光学素子において、前記フランジ部の外周のコーナ部に角落とし部と、光軸方向から見た前記角落としの外周の少なくとも一部に切断された跡を有することを特徴とする光ピックアップ装置用のプラスチック光学素子である。
請求項２に記載の発明は、光軸方向から見て前記切断された跡は直線状であることを特徴とする請求項１に記載の光ピックアップ装置用のプラスチック光学素子である。
請求項３に記載の発明は、光軸方向から見て前記切断された跡はＵ字状であることを特徴とする請求項１又は請求項１に記載の光ピックアップ装置用のプラスチック光学素子である。
請求項４に記載の発明は、光軸方向から見て前記切断された跡は外周に沿って切断された跡であることを特徴とする請求項１に記載の光ピックアップ装置用のプラスチック光学素子である。
請求項５に記載の発明は、光軸方向から見て前記切断された跡は円弧状であることを特徴とする請求項１に記載の光ピックアップ装置用のプラスチック光学素子である。
請求項６に記載の発明は、光軸方向から見て前記切断された跡はゲート部に対応する位置にあることを特徴とする請求項１に記載の光ピックアップ装置用のプラスチック光学素子である。
請求項７に記載の発明は、対向するように配置される二つの光学機能部と、前記光学機能部の外周に配置されるフランジ部を有した光ピックアップ装置用のプラスチック光学素子において、前記フランジ部の外周のコーナ部に角落とし部と、光軸方向から見た前記角落としの外周の少なくとも一部に、欠け、バリ、カエリ等のいずれかを有することを特徴とする光ピックアップ装置用のプラスチック光学素子である。
請求項８に記載の発明は、前記欠け、バリ、カエリ等のいずれかはゲート部に対応する位置にあることを特徴とする請求項７に記載の光ピックアップ装置用のプラスチック光学素子である。
請求項９に記載の発明は、前記角落としは、前記光学素子の外周の光ディスク側のコーナ部を有することを特徴とする請求項７または請求項８に記載の光ピックアップ装置用のプラスチック光学素子である。
請求項１０に記載の発明は、前記角落としは、前記光学素子の外周の取付基準面側のコーナ部に有することを特徴とする請求項７乃至請求項９のいずれか１項に記載の光ピックアップ装置用のプラスチック光学素子である。
請求項１１に記載の発明は、前記角落としは、面とり形状、または曲面形状であることを特徴とする請求項７乃至請求項１０のいずれか１項に記載の光ピックアップ装置用のプラスチック光学素子である。
請求項１２に記載の発明は、請求項１乃至請求項１１のいずれか１項に記載の光ピックアップ装置用のプラスチック光学素子用いたことを特徴とする光ピックアップ装置である。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１６
【補正方法】変更
【補正の内容】
【００１６】
この請求項１乃至請求項１２に記載の発明によれば、光学素子を光ピックアップ装置、カメラ等の光学機器等へ取り付けるときに、光学素子の外周の光ディスク側のコーナ部に、角落としが形成され、光学素子の収納が安定し、あるいは他の光学素子と干渉して傷付けることがない。
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２３
【補正方法】変更
【補正の内容】
【００２３】
以下、この発明の光ピックアップ装置用のプラスチック光学素子及び光ピックアップ装置の実施の形態を図面に基づいて説明するが、この発明は、この実施の形態に限定されるものではない。
【手続補正１７】
【補正対象書類名】明細書
【補正対象項目名】００４０
【補正方法】変更
【補正の内容】
【００４０】
この発明は、射出成形によって形成する光ピックアップ装置用のプラスチック光学素子及び光ピックアップ装置に適用可能であり、光学素子の外周部に欠け、バリ、カエリ等が生じることがあっても、収納性や取付性を損なうことがない。